(57)【要約】      （修正有）【課題】立食パーティなどにおいて使用される紙製使い捨て食器の大部分を再生資源として利用することが出来る紙製容器及びその製造方法を提供する。【解決手段】原紙を食器形状に成形するに際して、厚手の紙６と薄手の紙７を重ね合わせ、これを成形用金型のコアとキャビティとの間に挿入して圧縮成形する。このようにすると紙食器の立ち上がり側壁面に発生する厚紙のしわ部分５に前記の薄紙に発生するしわ５が挟み込まれ、容易に離脱しない二重構成の食器が得られる。使用後にこの食器の厚紙６部分と薄紙７部分を分離して薄紙７は汚染物とし厚紙６部分は再生可能廃棄物として分別投棄が可能になる。【選択図】図１
2005029259.tif 000002
【特許請求の範囲】
【請求項１】
二枚以上の紙または／およびプラスチックフィルムからなるブランク（６，７）を重ね合わせたブランク（Ｂ）を金型によって一体に圧縮成形した積層容器であって、該容器の周縁から側壁面に発生する凹凸状縦しわによって外側容器に順次内側容器を係合させたことを特徴とする使い捨て紙製容器。
【請求項２】
二枚以上の紙または／およびプラスチックフィルムからなるブランク（６，７）を重ね合わせたブランク（Ｂ）を金型によって一体に圧縮成形した積層容器であって、該容器の周縁から側壁面に発生する凹凸状縦しわによって外側容器に順次内側容器を係合させると共に、該容器の底面に凸（または凹）状のリブを１本ないし複数本形成したことを特徴とする請求項１記載の使い捨て紙製容器。
【請求項３】
二枚以上の紙または／およびプラスチックフィルムからなるブランク（６，７）を重ね合わせたブランク（Ｂ）を金型によって一体に圧縮成形した積層容器において、該ブランク（Ｂ）の一枚が厚紙であり、他は前記の厚紙より薄い紙、シリコン塗布紙、プラスチックフィルム、生分解性樹脂フィルムであることを特徴とする請求項１または請求項２記載の使い捨て紙製容器用ブランク。
【請求項４】
１ないし複数の開口窓（６ｗ）を形成した外側のブランク（６１）に薄紙からなる内側ブランク（７）を重ね合わせたブランク（Ｂ）により、ヒンジ（８）を介して収容器（３０）と蓋体（３１）とを一体に成形すると共に、該本体と蓋体とに生じる縦しわにより積層成形された容器を係合させたことを特徴とする請求項１または請求項２記載の使い捨て紙製容器。
【請求項５】
前記使い捨て紙製容器のブランクにおいて、重ね合わされた二枚以上のブランクが分離可能にスポット接着されていることを特徴とする請求項３または請求項４記載の使い捨て紙製容器用ブランク。
【請求項６】
紙製容器用圧縮成形金型のキャビティ（２１ａ）とコア（２２ａ）の間に間欠的に挿入される長尺薄紙の表面または裏面に、厚紙から形成された紙製容器成形用ブランクを付着させていることを特徴とする請求項１または請求項２記載の使い捨て紙製容器用ブランク。
【請求項７】
重ね合わされた二枚以上のブランク（Ｂ）は、超音波振動溶接による数箇所のスポット溶接されていることを特徴とする請求項５、請求項６記載の使い捨て紙製容器用ブランク。
【請求項８】
金型の一方側型板には立ち上がり側壁面を伴った容器形状キャビティが形成され、他方側型板には前記キャビティと同形状であって、かつ、原紙２〜３枚分の隙間を隔てて前記キャビティと対称形状になるコアが形成され、前記キャビティの外周縁相当部分において前記キャビティ側型板とコア側金板が周回線状に当接し、または、剪断刃面状に嵌合する構成として、容器の成形と同時にその周縁をトリミングすることを特徴とする紙製容器の製造用金型。
【発明の詳細な説明】
【技術分野】
【０００１】
この発明は、立食パーティ、各種イベント会場などにおいて使用されるに好適な使い捨て紙製食器とその製造金型に関する。
【背景技術】
【０００２】
従来、簡易な立食パーティや神社のお祭り、花見などのイベント会場においてプラスチックや紙で作ったコップ、皿などの使い捨て容器類が多く使用されていた。
【０００３】
これらのうち紙製容器の製法は、原紙を容器の外径よりやや大きい寸法に裁断してブランクとし、これを一枚ずつ金型のキャビティ中に挿入してコア（雄）型により圧縮し、形付け（賦形）されるのが通例である。この場合、容器に強度と耐水性を保持させるために防水剤により表面をコーティングした比較的厚い上質紙が使用されている。
【０００４】
また、目的は異なるが、紙と樹脂フィルムを接着剤により積層接着して、これをブランク状に打ち抜き、加熱、加圧して成形した紙製食器がワンウエイトレイとして開示されている（特許文献１）。
【０００５】
また、折り畳みにより形成される紙製容器の内面に汚れ防止用のフィルムを接着剤により貼付したものも開示されている（特許文献２）。
【０００６】
【特許文献１】特開２００２−５３１２１（０００８）
【特許文献２】特開２００１−３２８６２２  請求項１
【発明の開示】
【発明が解決しようとする課題】
【０００７】
上記により製造された紙容器等は食品類を乗せて飲食がなされ、食後には調味料などの液体が付着した状態で投棄されることになる。このように汚染した紙容器は、回収しても再生紙として使用することは殆ど不可能に近く、焼却されるより他に術はなかった。このような紙製食器では上質紙の浪費であり資源の無駄遣いとして問題視されるのは当然であった。これを解決する手段の１つとして前記特許文献１に記載のものがある。これによると、容器は厚紙からなる本体に薄紙からなる内面側容器が積層接着されており、食事後には汚染された内面の薄紙容器が剥ぎ取られて汚れのない本体側容器とは分別して投棄することが可能で、前記の上質紙である本体側は再生が可能になる。しかし、このように容器本体に汚れ防止用フィルムを接着剤で貼付する工程が付加されるので容器はコストアップとなるばかりか、成形された容器の該接着剤塗布部分が変色する可能性があり、使用者に不衛生な印象を与える虞があった。
【課題を解決するための手段】
【０００８】
本出願特許における請求項1記載の発明は、立ち上がり側壁部を有する紙容器を成形する金型に二枚以上の原紙（プラスチックフィルムを含む。）を積層したブランクを挿入し、これを加熱、圧縮することによって一体に成形した容器であり、このように一体成形される複数の容器はその立ち上がり側壁面および上端縁部に生じる縦しわの凹部に、その容器の内側に形成される容器に生じる突出状のしわを挟み込むことになり、したがって、各容器は容易に分離されない程度に係合することになる。このように複数枚の紙片から構成される紙容器においては盛り付けられた食料による汚染は内側（上面側）の容器に止まり、順次、この汚染容器を剥ぎ取ることによって新たな容器面が現れることになり、ここに食品を盛り付ければ常に清潔な紙容器として使用することができるものである。
【０００９】
請求項２記載の発明は、二枚以上の原紙（プラスチックフィルムを含む。）を積層して加熱圧縮することにより一体に成形した前記の紙容器において、該容器の底面に凸状のリブを複数本形成したもので、それら複数原紙からなる容器は、立ち上がり側壁から上端縁部に生じるしわ部分のみならず、底面のリブ部においても係合することになり、使用時において容器の一体感が得られ、かつ、分離も容易である。
【００１０】
請求項３記載の発明は、ブランクを構成する二枚以上の原紙が、その一枚が厚紙であり、その他は前記の厚紙より薄い紙、シリコン塗布紙、プラスチックフィルム、生分解性樹脂フィルム等とし、これを１ないし複数枚前記の厚紙に積層して紙製容器に圧縮成形するものであり、厚紙からなる容器以外は食事の進捗とともに順次剥ぎ取ることにより常に清潔な耐水性のある容器表面が現われることになる。また、厚紙で形成される外側（本体）部分に十分な強度を持たせることにより、薄い紙の容器を多層にして使用することが可能となる。
【００１１】
請求項４に記載の発明は、１ないし複数の開口窓を形成した外側のブランク（６）に薄紙からなる内側ブランク（７）を積層したブランク（Ｂ）により、ヒンジを介して本体と蓋体を一体に成形すると共に、この積層された複数の容器が本体と蓋体の上縁および側壁面に生じる縦しわにより係合される構成としたもので、前記薄紙を透明または半透明の紙質のものを選定することによって内部が視認できる覗き窓付き容器となる。
【００１２】
請求項５に記載の発明は、前記使い捨て用紙製容器のブランクにおいて、重ね合わされた二枚以上の原紙が分離可能にスポット接着され、または、接着剤で接着されていることを特徴とするもので、これにより、該ブランクを紙製容器成形用の金型内への導入時に各々の原紙相互間の位置ずれが防止される。
【００１３】
請求項６に記載の発明は、紙製容器成形用金型のキャビティとコアの間に間欠的に挿入される長尺薄紙の表面または裏面に、厚紙から形成された紙製容器成形用ブランクがスポット接着されていることを特徴とするもので、積層された複数のブランクが互いに位置ずれを生じない効果が得られ、且つ、薄紙が連続紙であることから該容器の成形能率が向上する。
【００１４】
請求項７に記載の発明は、前記の重ね合わされた二枚以上のブランクが、その数箇所を超音波振動溶接方法によりスポット溶接をし、または／および、該紙製容器成形後トリミングで廃棄される容器の周辺部位を接着剤によって接着するものである。したがって、この接着剤によるブランク紙面の汚れはトリミングで廃棄されるので、衛生的である。
【００１５】
請求項８記載の発明は、金型の一方側型板には立ち上がり側壁面を形成した容器形状キャビティが形成され、他方側型板には前記キャビティと対称形状であって、かつ、原紙２〜３枚分の隙間を隔てたコアが形成され、そのキャビティの外周縁相当部分において前記キャビティ側型板とコア側金板が周回線状に当接するか、または、剪断刃面状に密接嵌合する構造としたもので、この金型に厚紙と薄紙からなるブランクを挿入し圧縮成形することによって成形された紙製容器の縁部のトリミングは成形と同時になされることになる。
【発明の効果】
【００１６】
請求項３、請求項４に記載したように、原紙は一枚が厚紙で、他は薄紙、シリコン塗布紙、プラスチックフィルムまたは生分解性樹脂フィルム（以下、これらを薄紙等と記すことがある。）であり、この厚紙により外側（以下において、本体側と称することがある。）容器を形成し、他の薄紙等では内側容器が形成される。この薄紙等からなる内側容器は食料品に付着している調味料やだし汁などにより汚染されるが外側容器は汚染することない。したがって、立食パーティなどにおいて汚れた表面側にある薄紙容器を順次剥離することによって常に新しい薄紙容器を使用することができ、かつ、汚染容器と非汚染容器を分別投棄することが可能になり、厚紙側容器は汚染させることなく再生資源として使用が可能になる。
【００１７】
前記、厚紙と薄紙を所定形状に裁断したブランクを積層し、これを超音波等によって数箇所をスポット接着しておけば、該ブランクを圧縮成形用金型内に挿入したとき生じやすい各ブランク間の位置ずれが防止され、また、使用時に各容器間の不自然な剥離、弛み（または、浮き上がり）がなくなり、さらに、蓋付き容器においては薄紙に透明紙を用いると内部が透視できる窓が形成されることになる。
【００１８】
また、請求項８の金型は、容器の成形と同時にその周縁をトリミングするせん断刃を形成したもので、これにロール状などの長尺原紙を間欠的に給紙して成形すれば、ブランクの打ち抜き工程の時間が省略されることになり紙製容器の加工コストを引き下げられる。
【発明を実施するための最良の形態】
【００１９】
本発明の実施の形態について図面を参考として詳細に説明する。図１は本発明に係る容器の一例を示したもので図１は本発明に係る容器で（ａ）は平面図、（ｂ）側面の断面図、図２は厚紙からなる円形ブランクで（ａ）は平面図、（ｂ）は側面図、図３は紙製容器を成形する金型の一例を示す断面の側面図、図４は紙製容器に生じるしわを模式的に示した断面図、図５は長方形の厚紙からなるブランクを示した平面図、図６は長方形の薄紙からなるブランクを示した平面図、図７は長方形状の容器を示す斜視図、図８は蓋付き容器の斜視図、図９は蓋付き容器用のブランク、図１０は積層した厚紙及び薄紙ブランクの超音波接着を示したもの、図１１は薄紙側紙素材をロール原紙で金型に供給し、この薄紙に厚紙ブランクを超音波により接着する方法を示した側断面図、図１２は紙素材をロール原紙で金型に供給する方法を示した側断面図である
【００２０】
図１に示す円形容器１０は、円形状の底部１から外開き状に傾斜して立ち上がる周壁部２と、その周壁部２の上端にほぼ水平方向に伸びる縁辺３を周回状に形成し、さらにその縁辺部３の末端から外径側下方に傾斜状の余り部４が若干延設されたものである。この容器１０は厚紙からなる１枚のブランク６と薄紙等からなる１枚またはそれ以上のブランク７が積層されたブランクＢ（図２）を素材とし、１６０℃前後に加熱された例えば圧縮成形用金型２０により押圧成形されたものである。したがって、容器は外（本体）側容器１６と内側容器１７とが一体的に形成されることになる。なお、この発明において厚紙および薄紙はどの様な紙質でも良く、さらにシリコン塗布紙等の表面処理をしたものを含み、またＰＥＴ、ポリエチレン、ポリプロピレン、塩化ビニール樹脂その他生分解性樹脂フィルム等のプラスチックフィルムでも良い。厚紙と薄紙の厚さは相対的なものとする。
【００２１】
この場合、図2に示すように所定形状に裁断した厚紙側ブランク６にはその外周縁から中心方向に放射状に伸びる折り線５ａを予め刻設形成しておく。このブランク６に、同形状の薄紙等からなるブランク７が１枚ないし複数枚を重ね合わせてブランクＢとしたものである。
【００２２】
積層容器圧縮成形用金型２０の一例を図３に示した。この図において、該金型２０は、圧縮成形機のプレートＰ，Ｐに取り付けられた状態を示したもので、成形すべき紙製容器の形状を模したキャビティ２１ａを有するキャビティ側型板２１と、挿入する原紙の厚さに相当する間隙をそのキャビティ２１ａとの間に設けて対称形状としたコア２２ａを有するコア側型板２２からなる。このキャビティ２１ａの表面の所定位置には図示していないしわ形成用の凹溝を、それと対向するコア２２ａの表面には凸条を刻設している。前記のコア２２ａは枠板２３内に摺動自在に嵌合されており、バネ２４により常時所定位置にまで突出するように保持されている。さらに、この枠板２３のコア２２ａとの摺動面部の先端輪郭縁２３ａはキャビティ２１ａの外周輪郭縁２１ｂと密接に嵌合して成形された容器の周縁をトリミングする剪断刃を形成している。なお、図１の容器を成形するに付いては、この凹条２４、凸条２５は必要としない。Ｇはガイドピンである。
【００２３】
このような金型２０の対向するキャビティ２１ａとコア２２ａ間に前記のブランク６，７（Ｂ）が装入され、プレスの作動によりキャビティ２１ａ側プレートＰが前進して該ブランクＢを圧縮する。さらにプレスで押圧を継続するとコア２２ａはばね２４の弾性に抗して型枠２３内を後退し、やがて、キャビティ２１ａの周縁２２ｂが該型枠２３の先端の輪郭内径２３ａと嵌合して成形されたブランクＢを容器の輪郭に沿って剪断（トリミング）することになる。次いで、プレスによる押圧を解除し、プレートＰを後退させるとコア２２ａは前記ばね２４の反発力によって型枠２３内を初期の位置にまで戻り、成形された容器が取り出される。これによって厚紙と薄紙のブランクからなる容器は一体に積層し、しわ部５で係合されていることは前記の通りである。
【実施例１】
【００２４】
本発明に係る紙製容器の実施例１は図１に示すもので、その概要は前記の通りであるが、なお、詳しく説明する。円形の容器１０は、その容器の底部１に該当する直径および立ち上がり側壁部２の高さ、縁辺部３および余り部４などを考慮し、且つ、必要な縁押さえ部を設けたブランク６が厚紙から裁断される。さらに、このブランク６の内面側にその周縁部から容器の立ち上がり側壁部２および若干底面に達する位置にまで放射線状に折り線（または、折り罫とも称される。）５ａが刻設される。
【００２５】
図２の厚紙ブランク６に、ほぼ同形状の薄紙ブランク７が積層されたブランクＢをほぼ160℃に加熱した金型２０（図３）に供給し、圧縮成形をすることは前記の通りである。この成形によって前記折り線５ａの部分はその左右が寄り合ってしわになり投影面積を小さくして傾斜状の側壁２となり、また、投影面積を広げて縁辺部３および余り部４を形成することになる。
【００２６】
この立ち上がり壁面２や縁辺３に生じる縦しわ５部分を図示したのが図４である。（ａ）折り線５ａが刻設された厚紙ブランク６に薄紙ブランク７が積層されたブランクＢを，（ｂ）圧縮成形金型により圧縮すると側壁部分が立ち上がり、同時に前記の複数の折り線５ａの左右が寄り合って溝５ｂを形成する。この溝５ｂに薄紙ブランク７の直上部分はしわとなって挟み込まれ、互いに係合しあう。さらに金型で押圧されると、（ｃ）溝５ｂによる出っ張り部は若干、平坦になる。この縦しわ５によって積層された容器がそれぞれ係合することになる。
【実施例２】
【００２７】
図５は、底面に山形リブを形成した長方形状容器１１０（図６）成形用の厚紙からなるブランク６を示したものである。この長方形状ブランク６には四隅および四辺のほぼ中間位置に折り線５ａがその縁辺から傾斜面２および容器底面のほぼ外周に相当する位置Ｒにまで、さらに、容器の底面１にも十字状に刻設９ａされている。このブランク６とほぼ同形状（折り線は不要）の薄紙からなる１枚ないし複数枚のブランク７（図６）が該ブランク６に積層されてブランクＢ（図示していない）とされる。なお、７ａは本体容器から薄紙からなる容器を剥ぎ取るためのタブである。
【００２８】
前記のブランクＢを成形する圧縮成形金型は前記図３のもので、容器の中央に十字状のリブ９を立設するためにキャビティおよびコアに凹凸条２１ｃ，２２ｃを設ける必要がある。この金型によってブランクＢを成形した紙製容器１１０は図７に示すように外側容器１６と内容器１７（斑点を付した）は四隅のみならず長辺、短辺それぞれ縁辺部の中央においても縦しわ５が生じ、そこで積層された容器は係合することになる。また、前記の容器底面に刻設された前記の十字状に折り線９ａによって容器の中央に仕切状突起９が形成される。
【実施例３】
【００２９】
図８に示す紙製容器１１１は、ヒンジ８を介して収容容器体３０と開閉自在な蓋体３１が一体に成形されたもので、その蓋体３１に開口する覗き窓６ｗ，６ｗは薄紙からなる内側容器により透視可能に閉ざされている。この容器を成形するためのブランクＢは、図９に示したように、厚紙６および薄紙７の対向に二辺のほぼ中央部分、すなわち、ヒンジ８を形成すべき部分の両端に切り欠き８ａ，８ａを形成することによって蓋体側８ｂと収容容器体側８ｃとに区画されている。さらに、その厚紙側のブランク６には、蓋体側８ｂと収容容器体側８ｃのそれぞれの四隅に折り線５ａを刻設し、必要ならば収容容器体側８ｃの底部に相当する面に山形などのリブを形成するための折り線９ａが刻設される。
【００３０】
前記、蓋付き容器を成形する金型（図示していない）には、該収容容器体３０および蓋体３１を形成するための凹凸条を金型のキャビティおよびコア（図３における２１ｃ、２２ｃ）を有することが必要であることは勿論である。前記のブランクＢをこのような金型で成形した容器１１１（図８）は、厚紙側（外側）容器と薄紙側（内側）容器はその四周のしわ５で積層容器を係合している。したがって、前記の積層容器と同様に薄紙側を剥がして新たな容器の面を現出することができる。また、本体に商品を収容して蓋体を閉じた状態でも窓６ｗによって内部が視認できるので商品の陳列用容器としても利用できることになる。
【００３１】
前記には、一枚の厚紙ブランク６に対して一枚ないし数枚の薄紙ブランク７としたが、厚紙ブランク１枚にプラスチックフィルムを重ね、さらにそのフィルムの上に薄紙を重ねて圧縮成形をすることも可能である。前記のように圧縮成形用金型は１６０℃前後に加熱されているのでプラスチックフィルムが直接この金型面に付着すると表面が溶融し、その後の冷却により収縮するために縮み模様が発生するなど良好な表面が得られないことがあるが、このように、プラスチックフィルムの上に薄紙を被覆することによって金型への直接接触がなくなり美麗な内側容器として成形できる。この容器は先ず、薄紙面を，次いでプラスチック面を使用することになる。
【００３２】
前記の３つの実施例において、あらかじめ裁断され複数枚のブランク６，７は単に重ね合わせた状態で金型に供給されるものとした。これによって成形される複数の容器は縦しわ部分で互いに係合していることは前記の通りである。しかし、この積層ブランクＢは金型へ供給に際してそれぞれのブランク６，７が相対的に位置ずれを生じる可能性があることから、その対策として図１０に示すように、予め積層ブランクの表裏面から超音波振動接着用のホーンＳを当接させ振動加熱によるスポット接着Ｓをしておくことが有効である。この場合、超音波振動接着Ｓによっては必ずしも強固な接着力は得られないが、素材の紙にはリグニンが含まれており、この存在によって、本発明の容器が必要とする（使用時に薄紙側容器を１枚ずつ剥がし取れる）程度の接着硬度が得られることを見出した。このような超音波による接着の操作諸条件は紙質、紙厚、枚数などにより選定することになる。また、ブランク６，７において、容器成形後にトリミングにより投棄される部分に接着剤塗布による接着でもよいことは勿論である。
【実施例４】
【００３３】
前記では、裁断したブランク６、７で説明したが、このブランクに代わりロール状原紙を直接使用して紙容器を圧縮成形する方法を説明する。図１１に示したもので、所定の形状で所定位置に折線５ａ（図示していない）を刻設した厚紙のブランク６が、例えばストック棚Ｔから１枚ずつ供給されて、ロールＲを介して連続供給される長尺物薄紙７ｒの所定位置に貼り付けられ、容器用の圧縮成形金型２０に導入されるものである。この場合、厚紙ブランク６が金型内の正常な位置にセットされるためには適切なガイドを金型内に設置することが望ましいことは勿論である。
【００３４】
図１１において金型２０の直上に記載した矢印は、図示していない超音波振動加熱装置からの振動を伝えるホーンＳを示したものである。このような装置によって長尺薄紙７ｒの所定位置に前記の厚紙からなるブランク６をスポット溶着させることが望ましく、さらには、圧縮成形機または金型等に位置決めセンサー（図示していない）を付設してブランクの正確な位置決めを行うことが望まれることは勿論である。なお、薄紙側の長尺ブランク７ｒは容器形成と同時にその外周が、金型２０の枠板２３の先端輪郭縁部２３ａとキャビティ２１ａの外周輪郭縁２１ｂの密接嵌合によりトリミングされることになる。
【実施例５】
【００３５】
図１２に例示した紙容器成形用装置は、本体側容器の素材としてのロール状厚紙原紙６ｒを、内面側容器の素材としてのロール状薄紙原紙７ｒをそれぞれ回動自在に軸支し、その原紙先端を金型２０のコア２２ａとキャビティ２１ａの間に通過させ下方に設置したローラーＲｏを介して回転駆動装置付きローラー（図示しいてない）に巻き取らせるようにしたものである。この装置による成形は、前以て図示していないプレス装置によって該厚紙原紙６ｒの所定位置に折り線５ａを刻設しておくか、または、該厚紙６ｒのロールと金型２０との間にプレス装置等を設置（図示していない）してそこで折り線５ａを刻設することが必要である。このように折り線５ａが刻設された原紙６ｒと共に薄紙原紙７ｒを重ね合わせて金型内に導入されキャビティ２１ａとコア２２ａとで圧縮成形をする。これによって容器の周縁は前記と同様にトリミングされ、成形された容器は金型外に排出され、原紙の残部は下方のローラーＲｏを介して残紙巻取ローラーに回収される。また、容器に発生するしわ５によって厚紙側容器と薄紙側容器が係合することは前記と同様である。
【産業上の利用可能性】
【００３６】
本発明に係る積層紙容器は、野外パーティなどにおいて使用し、食後は本体厚紙側容器と表面側の薄紙容器を分離して薄紙側を汚染物として投棄し、厚紙側は再生可能物として分別投棄することが可能になる。
【００３７】
厚紙側ブランク一枚に対して複数枚の薄紙ブランクが積層されている場合は、一つの食物を採り、これを食した後には薄紙になる容器部分の一枚のみを剥ぎ取り、次の食物をとって食することができる。食後は汚れた薄紙の容器部を剥ぎ取り、厚紙からなる未汚染の本体側と分別して投棄されることは前記と同様である。これにより紙資源の再生を可能にしたものである。
【００３８】
前記、蓋に覗き窓を開口し、内側の薄紙からなる容器で閉ざした二重構成になる内部視認可能容器は、商店における陳列用包装として用いられ、購入者は使用後、内部容器と外部容器を分離して投棄することができるので資源の有効利用につながる。
【００３９】
積層したブランク６，７を超音波などによって数箇所をスポット溶接して容器を成形した場合、容器の強度が向上する。
【図面の簡単な説明】
【００４０】
【図１】本発明に係る容器でａ）は平面図、（ｂ）はＡ−Ｂ断面図である。
【図２】厚紙からなる円形ブランクで（ａ）は平面図、（ｂ）は側面図である。
【図３】紙製容器を成形する金型の一例を示す中央断面になる側面図である。
【図４】紙製容器に生じるしわを模式的に示した断面図である。
【図５】長方形の厚紙からなるブランクを示した平面図である。
【図６】長方形の薄紙からなるブランクを示した平面図である。
【図７】長方形状の容器を示す斜視図である。
【図８】蓋付き容器の斜視図である。
【図９】蓋付き容器用のブランクである。
【図１０】積層した厚紙及び薄紙ブランクの超音波接着を示したものである。
【図１１】薄紙側紙素材をロール原紙で金型に供給し、この薄紙に厚紙ブランクを超音波により接着する方法を示した側断面図である。
【図１２】紙素材をロール原紙で金型に供給する方法を示した側断面図である
【符号の説明】
【００４１】
１  底部
２  周壁部
３  縁辺部
４  余り部
５  しわ部
６  厚紙ブランク
６ｗ  窓
７  薄紙ブランク
８  切り欠き
１０  容器
２０  圧縮成形用金型
２１  キャビティ側型板
２２  コア側型板
２３  枠板
【図１】
2005029259.tif 000003
【図２】
2005029259.tif 000004
【図３】
2005029259.tif 000005
【図４】
2005029259.tif 000006
【図５】
2005029259.tif 000007
【図６】
2005029259.tif 000008
【図７】
2005029259.tif 000009
【図８】
2005029259.tif 000010
【図９】
2005029259.tif 000011
【図１０】
2005029259.tif 000012
【図１１】
2005029259.tif 000013
【図１２】
2005029259.tif 000014